(57)【要約】      （修正有）【課題】交差する支柱を強固に固定することができる樹木支持用の支柱固定部材および樹木支持構造を提供する。【解決手段】支柱固定部材は、交差する一方の支柱に外嵌可能な第１筒状リング１と、交差する他方の支柱に外嵌可能な第２筒状リング２と、前記第１筒状リングまたは第２筒状リングのいずれか一方の筒状リングに固定されて他方の筒状リングに貫通形成された第１ネジ受部１１に螺進退可能に螺合する杆状のネジ部１３と、前記第１筒状リングまたは第２筒状リングのいずれか一方の筒状リングに形成された第２ネジ受部２１に螺進退可能に螺合する締付具とからなり、前記杆状のネジ部または締付具を螺合位置で固定する固定手段を設けてなることを特徴とする。【選択図】図１
2007014274.tif 000002
【特許請求の範囲】
【請求項１】
樹木を支持する支柱相互を交差する個所で固定する支柱固定部材において、
交差する一対の支柱間を固定する支柱固定部材が、
一方の支柱に外嵌可能な第１筒状リングと、他方の支柱に外嵌可能な第２筒状リングと、
前記第２筒状リングに固定されて、第１筒状リングに形成された第１ネジ受部に螺進退可能に螺合する杆状のネジ部と、
該ネジ部を固定した第２筒状リングに形成された第２ネジ受部と、
該第２ネジ受部に螺進退可能に螺合して前記第２筒状リング内の樹木を押圧するボルトなどの締付具とからなることを特徴とする樹木支持用の支柱固定部材。
【請求項２】
ネジ部と締付具とが、一方を正ネジとし、他方を逆ネジとしてなることを特徴とする請求項１に記載の樹木支持用の支柱固定部材。
【請求項３】
第１ネジ受部と杆状のネジ部を螺合位置で固定する固定手段と、第２ネジ受部と締付具を螺合位置で固定する固定手段の一方または両方を設けてなることを特徴とする請求項１に記載の樹木支持用の支柱固定部材。
【請求項４】
樹木を支持する支柱相互を交差する個所で固定する支柱固定部材において、
交差する一対の支柱間を固定する補助用支柱固定部材が、
一方の支柱に外嵌可能な第３筒状リングと、他方の支柱に外嵌可能な第４筒状リングとを所定の交差した姿勢で一体に固着しており、
前記第３筒状リングに形成された第３ネジ受部に螺進退可能に螺合するボルトなどの第３締付具を設け、
前記第４筒状リングに形成された第４ネジ受部に螺進退可能に螺合するボルトなどの第４締付具を設けてなることを特徴とする樹木支持用の支柱固定部材。
【請求項５】
樹木を支持する支柱相互を交差する個所で固定する支柱固定部材において、
支柱固定部材が、縦向きの支柱と横向きの支柱との交差する個所を固定する支柱固定部材と、前記横向きの支柱と上下に配置された横向きの別の支柱との交差する個所を固定する補助支柱固定部材とからなっており、
支柱固定部材が、縦向きの支柱に外嵌可能な第１筒状リングと、交差する横向きの支柱に外嵌可能な第２筒状リングと、
前記第２筒状リングに固定されて、第１筒状リングに形成された第１ネジ受部に螺進退可能に螺合する杆状のネジ部と、
該ネジ部を固定した第２筒状リングに形成された第２ネジ受部と、
該第２ネジ受部に螺進退可能に螺合して前記第２筒状リング内の樹木を押圧するボルトなどの締付具とからなり、
前記第１ネジ受部と杆状のネジ部または第２ネジ受部と締付具を螺合位置で固定する固定手段を設けてなり、
補助支柱固定部材が、前記横向きの支柱に外嵌可能な第３筒状リングと、前記横向きの２支柱の上方または下方で交差する横向きの別の支柱に外嵌可能な第４筒状リングとを所定の交差した姿勢で一体に固着しており、
前記第３筒状リングに形成された第３ネジ受部に螺進退可能に螺合するボルトなどの第３締付具を設け、
前記第４筒状リングに形成された第４ネジ受部に螺進退可能に螺合するボルトなどの第４締付具を設けてなることを特徴とする樹木支持用の支柱固定部材。
【請求項６】
固定手段が、第１ネジ受部の外周面から内周面に貫通する貫通孔部と、該貫通孔部から挿入されて第１ネジ受部に螺合した杆状のネジ部のねじ山を潰すネジ潰し具とからなることを特徴とする請求項２、３または５のいずれかに記載の樹木支持用の支柱固定部材。
【請求項７】
支柱を交差し支柱固定部材で支柱間を固定して樹木を支持する樹木支持構造において、
支柱固定部材が、縦向きの支柱に外嵌可能な第１筒状リングと、交差する横向きの支柱に外嵌可能な第２筒状リングと、
前記第２筒状リングに固定されて、第１筒状リングに形成された第１ネジ受部に螺進退可能に螺合する杆状のネジ部と、
該ネジ部を固定した第２筒状リングに形成された第２ネジ受部と、
該第２ネジ受部に螺進退可能に螺合して前記第２筒状リング内の樹木を押圧するボルトなどの締付具とからなり、
前記第１ネジ受部と杆状のネジ部または第２ネジ受部と締付具を螺合位置で固定する固定手段を設けており、前記横向きの支柱に前記支柱固定部材の第２筒状リングを嵌合し前記締付具で固定し、第１筒状リングに前記縦向きの支柱を嵌合し、該縦向きの支柱の先端を地面に打ち込んだ後に、前記固定手段で第１ネジ受部と杆状のネジ部または第２ネジ受部と締付具を螺合位置で固定してなることを特徴とする樹木支持構造。
【請求項８】
支柱を交差し支柱固定部材で支柱間を固定して樹木を支持する樹木支持構造において、
支柱固定部材が、縦向きの支柱と横向きの支柱との交差する個所を固定する支柱固定部材と、上下に配置された横向きの支柱が交差する個所を固定する補助支柱固定部材とからなっており、
支柱固定部材が、縦向きの支柱に外嵌可能な第１筒状リングと、交差する横向きの支柱に外嵌可能な第２筒状リングと、
前記第２筒状リングに固定されて、第１筒状リングに形成された第１ネジ受部に螺進退可能に螺合する杆状のネジ部と、
該ネジ部を固定した第２筒状リングに形成された第２ネジ受部と、
該第２ネジ受部に螺進退可能に螺合して前記第２筒状リング内の樹木を押圧するボルトなどの締付具とからなり、
前記第１ネジ受部と杆状のネジ部または第２ネジ受部と締付具を螺合位置で固定する固定手段を設けており、
補助支柱固定部材が、前記横向きの支柱に外嵌可能な第３筒状リングと、前記横向きの支柱の上方または下方で交差する横向きの別の支柱に外嵌可能な第４筒状リングとを所定の交差した姿勢で一体に固着しており、前記第３筒状リングに形成された第３ネジ受部に螺進退可能に螺合するボルトなどの第３締付具を設け、前記第４筒状リングに形成された第４ネジ受部に螺進退可能に螺合するボルトなどの第４締付具を設けており、
樹木の周囲を挟むように上下に配置されて横向きで交差する前記一対の横向きの支柱を補助支柱固定部材の第３筒状リングと第４筒状リングに嵌合して第３締付具および第４締付具でそれぞれ固定し、前記一方の横向きの支柱に前記支柱固定部材の第２筒状リングを嵌合し第２締付具で固定し、第１筒状リングに縦向きの支柱を嵌合し、該縦向きの支柱の先端を地面に打ち込んだ後に、前記固定手段で第１ネジ受部と杆状のネジ部または第２ネジ受部と締付具を螺合位置で固定してなることを特徴とする樹木支持構造。
【請求項９】
ネジ部と締付具とが、一方を正ネジとし、他方を逆ネジとしてなることを特徴とする請求項７または８に記載の樹木支持構造。
【発明の詳細な説明】
【技術分野】
【０００１】
本発明は、街路樹などの樹木を支持するための鳥居型支柱などに用いる樹木支持用の支柱固定部材および樹木支持構造に関する。
【背景技術】
【０００２】
従来、街路樹などの樹木を支持するため鳥居型支柱（図示例は三脚鳥居型支柱）として、図１０に示すように、樹木Ｔを囲むように丸太からなる支柱Ｓ１、Ｓ２，Ｓ３を縦、横に沿わせて、交差した個所に釘を打ち込んで固定し、更に交差した個所に鉄線を巻き付ける構成が用いられている。
しかし、釘を用いるので、点または線接触による固定であって、強力に固定することができず、また、これを補強するために鉄線を巻き付けるには熟練を要し、作業に手間と時間がかかるという問題点があった。
一方、例えば特開２００１−２５８４０８では、芯材が金属性パイプで、表面を産業廃棄物利用のプラスチックを使用し擬木の形状で成形した支柱・横木・腕木・添え木からなって、ボルト・ナットで、樹木の成長に応じ固定及び固定位置の移動を可能にし、締結具で締結する構成が開示されている。
締結具は、材料をゴム又は再生ゴムを使用したベルト形で弾力性に優れ、弾性変形するもので、止金具で固定できるようになっている。
この構成の場合も縦向きの支柱と横向きの横木とは、交差した位置でボルト・ナットにより固定しており、樹木に掛け渡される前記締結具の端部も止金具を介して固定しているが、支柱と横木、腕木と横木の交差個所はボルト・ナットによる固定だけであるので、ボルト・ナットによる点または線による固定であって、強力に固定することができない欠点がある。
【０００３】
【特許文献１】特開２００１−２５８４０８号公報
【発明の開示】
【発明が解決しようとする課題】
【０００４】
この発明は、上記事情に鑑みて創案されたものであって、その主たる課題は、支柱固定部材の筒状リングを丸太からなる交差した支柱に嵌め込んで固定するので、筒状リングの内周面が支柱の外壁面と広範囲の面で接触し、交差する支柱を強固に固定し、熟練を要さず、誰でも簡単に作業を行うことができる樹木支持用の支柱固定部材および樹木支持構造を提供することにある。
また、この発明では、支柱固定部材と補助支柱固定部材とを用いることで、３方向に交差する支柱を簡単に且つ強固に固定することができる樹木支持用の支柱固定部材および樹木支持構造を提供することにある。
【課題を解決するための手段】
【０００５】
この発明は、上記課題を解決するために、請求項１の樹木支持用の支柱固定部材の発明では、
樹木を支持する支柱相互を交差する個所で固定する支柱固定部材において、
交差する一対の支柱間を固定する支柱固定部材が、
一方の支柱に外嵌可能な第１筒状リングと、他方の支柱に外嵌可能な第２筒状リングと、
前記第２筒状リングに固定されて、第１筒状リングに形成された第１ネジ受部に螺進退可能に螺合する杆状のネジ部と、
該ネジ部を固定した第２筒状リングに形成された第２ネジ受部と、
該第２ネジ受部に螺進退可能に螺合して前記第２筒状リング内の樹木を押圧するボルトなどの締付具とからなることを特徴とする。
請求項２の発明では、
ネジ部と締付具とが、一方を正ネジとし、他方を逆ネジとしてなることを特徴とする。
また、請求項３の発明では、
前記第１ネジ受部と杆状のネジ部を螺合位置で固定する固定手段と、第２ネジ受部と締付具を螺合位置で固定する固定手段の一方または両方を設けてなることを特徴とする。
【０００６】
請求項４の発明では、
樹木を支持する支柱相互を交差する個所で固定する支柱固定部材において、
交差する支柱間を固定する補助用支柱固定部材が、
一方の支柱に外嵌可能な第３筒状リングと、他方の支柱に外嵌可能な第４筒状リングとを所定の交差した姿勢で一体に固着しており、
前記第３筒状リングに形成された第３ネジ受部に螺進退可能に螺合するボルトなどの第３締付具を設け、
前記第４筒状リングに形成された第４ネジ受部に螺進退可能に螺合するボルトなどの第４締付具を設けてなることを特徴とする。
また、請求項５の発明では、
樹木を支持する支柱相互を交差する個所で固定する支柱固定部材において、
支柱固定部材が、縦向きの支柱と横向きの支柱との交差する個所を固定する支柱固定部材と、前記横向きの支柱と上下に配置された横向きの別の支柱との交差する個所を固定する補助支柱固定部材とからなっており、
支柱固定部材が、縦向きの支柱に外嵌可能な第１筒状リングと、交差する横向きの支柱に外嵌可能な第２筒状リングと、
前記第２筒状リングに固定されて、第１筒状リングに形成された第１ネジ受部に螺進退可能に螺合する杆状のネジ部と、
該ネジ部を固定した第２筒状リングに形成された第２ネジ受部と、
該第２ネジ受部に螺進退可能に螺合して前記第２筒状リング内の樹木を押圧するボルトなどの締付具とからなり、
前記第１ネジ受部と杆状のネジ部または第２ネジ受部と締付具を螺合位置で固定する固定手段を設けてなり、
補助支柱固定部材が、前記横向きの支柱に外嵌可能な第３筒状リングと、前記横向きの２支柱の上方または下方で交差する横向きの別の支柱に外嵌可能な第４筒状リングとを所定の交差した姿勢で一体に固着しており、
前記第３筒状リングに形成された第３ネジ受部に螺進退可能に螺合するボルトなどの第３締付具を設け、
前記第４筒状リングに形成された第４ネジ受部に螺進退可能に螺合するボルトなどの第４締付具を設けてなることを特徴とする。
また、請求項６の発明では、
前記固定手段が、第１ネジ受部の外周面から内周面に貫通する貫通孔部と、該貫通孔部から挿入されて第１ネジ受部に螺合した杆状のネジ部のねじ山を潰すネジ潰し具とからなることを特徴とする。
【０００７】
請求項７の樹木支持構造の発明では、
支柱を交差し支柱固定部材で支柱間を固定して樹木を支持する樹木支持構造において、
支柱固定部材が、縦向きの支柱に外嵌可能な第１筒状リングと、交差する横向きの支柱に外嵌可能な第２筒状リングと、
前記第２筒状リングに固定されて、第１筒状リングに形成された第１ネジ受部に螺進退可能に螺合する杆状のネジ部と、
該ネジ部を固定した第２筒状リングに形成された第２ネジ受部と、
該第２ネジ受部に螺進退可能に螺合して前記第２筒状リング内の樹木を押圧するボルトなどの締付具とからなり、
前記第１ネジ受部と杆状のネジ部または第２ネジ受部と締付具を螺合位置で固定する固定手段を設けており、前記横向きの支柱に前記支柱固定部材の第２筒状リングを嵌合し前記締付具で固定し、第１筒状リングに前記縦向きの支柱を嵌合し、該縦向きの支柱の先端を地面に打ち込んだ後に、前記固定手段で第１ネジ受部と杆状のネジ部または第２ネジ受部と締付具を螺合位置で固定してなることを特徴とする。
【０００８】
また、請求項８の発明では、
支柱を交差し支柱固定部材で支柱間を固定して樹木を支持する樹木支持構造において、
支柱固定部材が、縦向きの支柱と横向きの支柱との交差する個所を固定する支柱固定部材と、上下に配置された横向きの支柱が交差する個所を固定する補助支柱固定部材とからなっており、
支柱固定部材が、縦向きの支柱に外嵌可能な第１筒状リングと、交差する横向きの支柱に外嵌可能な第２筒状リングと、
前記第２筒状リングに固定されて、第１筒状リングに形成された第１ネジ受部に螺進退可能に螺合する杆状のネジ部と、
該ネジ部を固定した第２筒状リングに形成された第２ネジ受部と、
該第２ネジ受部に螺進退可能に螺合して前記第２筒状リング内の樹木を押圧するボルトなどの締付具とからなり、
前記第１ネジ受部と杆状のネジ部または第２ネジ受部と締付具を螺合位置で固定する固定手段を設けており、
補助支柱固定部材が、前記横向きの支柱に外嵌可能な第３筒状リングと、前記横向きの支柱の上方または下方で交差する横向きの別の支柱に外嵌可能な第４筒状リングとを所定の交差した姿勢で一体に固着しており、前記第３筒状リングに形成された第３ネジ受部に螺進退可能に螺合するボルトなどの第３締付具を設け、前記第４筒状リングに形成された第４ネジ受部に螺進退可能に螺合するボルトなどの第４締付具を設けており、
樹木の周囲を挟むように上下に配置されて横向きで交差する前記一対の横向きの支柱を補助支柱固定部材の第３筒状リングと第４筒状リングに嵌合して第３締付具および第４締付具でそれぞれ固定し、前記一方の横向きの支柱に前記支柱固定部材の第２筒状リングを嵌合し第２締付具で固定し、第１筒状リングに縦向きの支柱を嵌合し、該縦向きの支柱の先端を地面に打ち込んだ後に、前記固定手段で第１ネジ受部と杆状のネジ部または第２ネジ受部と締付具を螺合位置で固定してなることを特徴とする。
更に、請求項９の発明では、
ネジ部と締付具とが、一方を正ネジとし、他方を逆ネジとしてなることを特徴とする。
【発明の効果】
【０００９】
この発明の樹木支持用の支柱固定部材では、第１筒状リングと第２筒状リングとを杆状のネジ部で螺合して相対的に一方の筒状リングを回転可能としたので、縦向きの支柱を打ち込む際に、この第１筒状リングが嵌め込まれていても、前記縦向きの支柱の打ち込み角度に対応して回転することができ、第１筒状リングと第２筒状リングとを最適の交差角度で固定することができる。
また、縦向きの支柱の先端を地面に打ち込んで支柱を完成した状態で固定手段を用いて前記杆状のネジ部または締付具を第１ネジ受部または第２ネジ受部に固定して第１筒状リングと第２筒状リングの回転を阻止し固定することができる。
これにより、鉄線を巻き付けることなく、簡単な作業で誰でも鳥居型の支柱を完成することができる。
上記固定手段としては、ネジ潰し具によってネジ山を潰して固定したり、接着剤を充填、塗布して固定してもよい。
また、ネジ部と締付具とを、一方を正ネジとし、他方を逆ネジとすれば、同一方向に力が加わった際に、双方のネジが連動して緩む虞れが無くなる。
【発明を実施するための最良の形態】
【００１０】
この発明では、第１筒状リングと第２筒状リングとを杆状のネジ部で螺着して連結すると共に、杆状のネジ部または締付具を螺合位置で固定手段により固定して、作業の容易性、迅速性という目的を、実現した。
【実施例１】
【００１１】
以下にこの発明の好適実施例について、図面を参照しながら説明する。
図１（ａ）に示す支柱固定部材１０は、縦向きの第１支柱Ｓ１に外嵌可能な第１筒状リング１および横向きの第２支柱Ｓ２に外観可能な第２筒状リング２と、前記第２筒状リング２に基端が固定されて第１筒状リング１に貫通形成された第１ネジ受部１１に螺進退可能に螺合する杆状のネジ部１３と、前記第２筒状リング２に形成された第２ネジ受部２１と、該第２ネジ受部２１に螺進退可能に螺合する締付具としてのボルト２２からなっている。
【００１２】
ここで、ネジ部１３とボルト２２とは、共にネジの方向を同じにしてもよいが、本実施例では一方を正ネジとし、他方を逆ネジとしている。
これにより、直列方向にネジ部１３とボルト２２とが並んでいても、緊締後に双方のネジが連動して緩む虞れが無くなる。
また、本実施例では、前記杆状のネジ部１３を第１ネジ受部１１に螺合した位置で固定する固定手段が設けられている。
【００１３】
ここで樹木Ｔを固定する支柱は、木製の丸太からなっており、縦向きの第１支柱Ｓ１となる丸太は先端が鋭く削られた杭形状をしており、横向きの第２支柱Ｓ２となる丸太は両端が平らになった公知の形状をしている（図６参照）。
【００１４】
そして、第１筒状リング１および第２筒状リング２は、ベルト状の金属製リングからなっており、前記支柱Ｓ１、Ｓ２より大径に設定されている。
第１筒状リング１には上記杆状のネジ部１３を螺合するための第１ネジ受部１１が形成されており、該第１ネジ受部１１は、本実施例の場合、第１筒状リング１に形成された穴１４と連通し内周面に雌ねじが刻設されたネジ孔１５ａを有するナット状の受部１５を第１筒状リング１の外周面に固着した構成からなっている。
【００１５】
第２筒状リング２は、その外周壁に前記杆状のネジ部１３の基端を固着している。
ここで杆状のネジ部１３に替えてボルトを用いてもよく、ボルトの頭部を第２筒状リング２の外周壁に溶着などで固定するものでもよい。
また、第２筒状リング２には、前記杆状のネジ部１３の取付位置と対向する位置に第２ネジ受部２１が形成されている。
【００１６】
第２ネジ受部２１は、本実施例の場合、第１ネジ受部１１と同様に、第２筒状リング２に形成された穴２４と連通し内周面に雌ねじが刻設されたネジ孔２５ａを有するナット状の受部２５を第２筒状リング２の外周面に固着した構成からなっている。
この第２ネジ受部２１に固定用のボルト２２が螺合している。
ここで、ネジ部１３とボルト２２とはネジの向きが同じであっても、あるいは正逆異なるものであってもよい。
本実施例では、第２ネジ受部２１の位置を杆状のネジ部１３と対向する直径方向に配置したが、この配置は特に限定されるものではなく、杆状のネジ部１３と衝合せず締付具が操作可能な位置に設けることができる（図４参照）。
【００１７】
次ぎに、前記杆状のネジ部１３を第１ネジ受部１１に螺合した位置状態で固定する固定手段として、本実施例では、第１ネジ受部１１が、第１筒状リング１に形成された穴１４と、該穴１４と連通するネジ受部１５ａを有するナット状のネジ受部１５と、該ネジ受部１５の外周面から内周面のネジ受部１５ａに貫通する貫通孔部１６と、該貫通孔部１６から挿入されてネジ受部１５に螺合した前記杆状のネジ部１３のねじ山を潰すネジ潰し具としての小さなネジまたはボルト１７とからなっている（図１（ｂ）参照）。
【００１８】
この支柱固定部材１０を用いて支柱を固定する例として、図６に示す二脚鳥居型にする場合には、図５に示すように、まず第２筒状リング２に横向きの第２支柱Ｓ２を嵌め込む。
そして、ボルト２２を締付方向に回してボルト２２を第２筒状リング２の内側に螺進させ、その先端を前記横向きの第２支柱Ｓ２に衝合ないし食い込ませて横向きの第２支柱Ｓ２に第２筒状リング２を固定する。
この際に、第１筒状リング１が縦向きの第１支柱Ｓ１の打ち込み方向Ｘに対してほぼ直角になるようにして、第２筒状リング２を固定しておく（図５（ａ）参照）。
【００１９】
そして、第１筒状リング１をネジ部１３を支点にして回転させてネジ部１３の先端を第１筒状リング１の内側へ螺進させておき、その第１筒状リング１に縦向きの第１支柱Ｓ１を挿入し嵌め込む。
縦向きの第１支柱Ｓ１を差し込んだ際に前記杆状のネジ部１３の先端が第１支柱Ｓ１に接するか接しない程度としておくことが好ましい。
【００２０】
次いで、前記縦向きの第１支柱Ｓ１を第１筒状リング１に対してスライドさせながら地面に傾斜した状態で打ち込んでいく。
この打ち込みによって縦向きの第１支柱Ｓ１の向きが多少変化しても、第１筒状リング１の杆状のネジ部１３を支点とする回動によって上記変化を吸収することができるので、第１筒状リング１が縦向きの第１支柱Ｓ１の外周面と密着した状態が維持される（図５（ｂ））。
【００２１】
そして、その状態で、第１ネジ受部１１の貫通孔部１６に螺合したネジ潰し具としての小さなネジ又はボルト１７を締め付ける（図５（ｃ））。
これによりネジ又はボルト１７の螺進でその先端が第１ネジ受部１１内で螺合している杆状のネジ部１３のネジ山を潰して杆状のネジ部１３と第１ネジ受部１１との螺合状態を固定することができる。
【００２２】
固定手段としては、例えば上記貫通孔部１６から接着剤を充填して接着剤で前記螺合状態を固定するものでもよい。
あるいは、貫通孔部１６を設けず、直接に前記杆状のネジ部に接着剤を塗布しておき、杆状のネジ部のねじ締めにより、接着剤により螺合状態を固定する構成であってもよい。
【実施例２】
【００２３】
また、上記実施例１の第１筒状リング１に、第２筒状リング２の第２ネジ受部と同様の補助ネジ受部１１’と、これに螺合するボルトと同様の補助ボルト１２’を設けて、補助ボルト１２’の緊締で縦向きの第１支柱Ｓ１を更に補助的に固定する構成を付加してもよい。
【００２４】
図２に示す支柱固定部材１０は、補助ネジ受部１１’は、第１筒状リング１に形成された穴１４’と連通し内周面に雌ねじが刻設されたネジ孔１５’ａを有するナット状の受部１５’を第１筒状リング２の外周面に固着した構成からなっている。
この補助ネジ受部１１’に固定用の補助ボルト１２’が螺合している。
その他の構成は前記実施例１と同様である。
補助ネジ受部１１’と  第１ネジ受部１１とは直径方向に配置するものでもよいが、接近している方が縦向きの第１支柱Ｓ１を第１筒状リング１の内周面に幅広く衝合させることができる。
【実施例３】
【００２５】
上記実施例では、固定手段として第１ネジ受部１１と杆状のネジ部１３との螺合状態を固定する構成を示したが、第２ネジ受部２１とボルト２３との螺合状態を固定する構成であってもよい。
図３に示す支柱固定部材１０では、杆状のネジ部１３が、ボルトからなって頭部が第２筒状リング２に溶着などで固定された構造からなっており、第１ネジ受部１１が第１筒状リング１の穴１４の外側にプレート１８を固着し、内周面１８ａに雌ねじを刻設した構成からなっている。
その他の構成は前記実施例と同様である。
【００２６】
この場合の固定手段としては、第２ネジ受部２１のネジ受部２５の外周面から内周面のネジ受部２５ａに貫通する貫通孔部２６と、該貫通孔部２６から挿入されてネジ受部２５に螺合したボルトからなる第２締付具２２のねじ山を潰すネジ潰し具としての小さなネジまたはボルト２７とからなっている。
そして、第２締付具２２を緊締して第２支柱Ｓ２を固定した状態で、前記ねじまたはボルト２７を締めて前記第２締付具２２のネジ山を潰し螺合状態を固定する。
【実施例４】
【００２７】
上記実施例では、第１ネジ受部または第２ネジ受部に固定手段を設けて、いずれかの螺合状態を固定する場合を示したが、この発明では、固定手段を設けず、杆状のネジ部１３や第２締付具２２を締め付けるだけであってもよい。
従って、図４に示す支柱固定部材１０では、第１ネジ受部１１にも第２ネジ受部２１にも固定手段を設けていない。
【００２８】
また、第２ネジ受部２１は、ネジ部１３の延長方向に限らず、任意の位置に配置することができる。
本実施例では、ネジ部１３の取付位置に対して略９０度離間した位置に配置している。
その他の構成は、前記実施例１、３に準じるのでその説明を省略する。
【実施例５】
【００２９】
図７には、前記実施例の支柱固定部材１０と共に用いる補助支柱固定部材５０を示す。
この場合、前記実施例の支柱固定部材１０を補助支柱固定部材５０と区別するために、この実施例５では支柱固定部材１０とする。
補助支柱固定部材５０は、横向きで上下に並んで交差する一方の第２支柱Ｓ２に外嵌可能な第３筒状リング３と、交差する他方の第３支柱Ｓ３に外嵌可能な第４筒状リング４とを略直角に交差した姿勢で一体に溶着し固定された構成からなっている。
【００３０】
ここで第３筒状リング３および第４筒状リング４は、ベルト状の金属製リングからなっており、前記第２支柱Ｓ２、第３支柱Ｓ３より大径に設定されている。
第３筒状リング３には第３ネジ受部３１が形成されている。
第３ネジ受部３１は、本実施例の場合、第３筒状リング３に形成された穴３４と連通し内周面に雌ねじが刻設されたネジ孔３５ａを有するナット状の受部３５を第３筒状リング３の外周面に固着した構成からなっている。
この第３ネジ受部３１に螺進して第２支柱Ｓ２を固定するためのボルトからなる第３締付具３２が螺合している。
【００３１】
同様に、第４筒状リング４には第４ネジ受部４１が形成されている。
第４ネジ受部４１は、本実施例の場合に第３ネジ受部３１の延長方向に対して略直交する位置に形成されており、第４筒状リング４に形成された穴４４と連通し内周面に雌ねじが刻設されたネジ孔４５ａを有するナット状の受部４５を第４筒状リング４の外周面に固着した構成からなっている。
この第４ネジ受部４１に螺進して第３支柱Ｓ３を固定するためのボルトからなる第４締付具４２が螺合している。
【００３２】
この支柱固定部材１０、補助支柱固定部材５０を用いて縦向きの第１支柱Ｓ１と、横向きの第２、第３支柱Ｓ２、Ｓ３を固定する例として、図９に示す三脚鳥居型にする場合には、図８（ａ）に示すように、まず上下で交差する横向きの第２支柱Ｓ２と第３支柱Ｓ３にそれぞれ第３筒状リング３および第４筒状リング４を嵌め込み、第３ネジ受部３１に第３締付具３２を螺合して第２支柱Ｓ２を固定し、第４ネジ受部４１に第４締付具４２を螺合して第３支柱Ｓ３を固定して第２、第３支柱Ｓ２、Ｓ３を交差状に組み立てる。
【００３３】
次いで、図８（ｂ）（ｃ）に示すように、下段にある横向きの第２支柱Ｓ２に支柱固定部材１０の第２筒状リング２を嵌め込み、第２ネジ受部２１に第２締付具２２を螺合して第２支柱Ｓ２を仮留めする。
そして、前述のように第１筒状リング１に縦向きの第１支柱Ｓ１を挿入して地面に所定深さまで打ち込み、固定手段で杆状のネジ部１３の螺合位置を固定し、第２締付具２２を本締めする（図８（ｄ）参照）。
【００３４】
これにより、上下で交差する横向きの第２、第３支柱Ｓ２、Ｓ３間を補助支柱固定部材５０で固定し、上記第２支柱Ｓ２と縦向きの第１支柱Ｓ１との間を支柱固定部材１０によって固定して、樹木を支持することができる。
ここで、第３支柱は第２支柱の上方で交差した例を図示したが、第３支柱は第２支柱の下方で交差するものでもよい。
換言すれば、図示例の場合、支柱固定部材１０の第２筒状リング２は上段にある第３支柱Ｓ３に嵌め込み、固定して取り付けるものでもよい。
【００３５】
樹木Ｔの支持構成は、上記実施例の鳥居型に限定されず、丸太からなる支柱を交差して樹木を支持する構成に用いることができる。
また、上記実施例では、支柱固定部材と補助支柱固定部材を用いた例を示したが、両方とも支柱固定部材を用いるものでもよい。
また、上記実施例では、補助支柱固定部材は支柱固定部材と共に使用する場合を例示したが、補助支柱固定部材単独で使用するものであってもよい。
また、各実施例におけるネジ部とボルト２とは前述のようにネジの向きを正逆異なるものとすることが好ましい。
その他、要するにこの発明の要旨を変更しない範囲で種々設計変更しうること勿論である。
【図面の簡単な説明】
【００３６】
【図１】（ａ）は支柱固定部材の正面図、（ｂ）は要部拡大図である。（実施例１）
【図２】支柱固定部材の異なる実施例の側面図である。（実施例２）
【図３】支柱固定部材の異なる実施例の正面図である。（実施例３）
【図４】固定手段を設けず、且つネジ受部の取付位置の異なる支柱固定部材の正面図である（実施例４）。
【図５】図１の支柱固定部材を用いて支柱を鳥居型に組み立てた状態を説明する図であって、（ａ）は横向きの支柱に取付けた状態の図、（ｂ）は縦向きの支柱へも取付けた状態の図、（ｃ）固定手段により杆状のネジ部を第１ネジ受部に固定した状態の図である。
【図６】支柱固定部材で鳥居型支柱を固定して樹木を支持した状態の側面図である。
【図７】補助支柱固定部材の正面図である。（実施例５）
【図８】支柱固定部材と補助支柱固定部材を用いて支柱を鳥居型に組み立てた状態を説明する図であって、（ａ）は上下で交差する横向きの支柱間に補助支柱固定部材を取付けた状態の図、（ｂ）は横向きの支柱に支柱固定部材を取り付けた状態の図、（ｃ）は同平面図、（ｄ）支柱固定部材を縦向きの支柱に取り付けた状態の図である。
【図９】支柱固定部材と補助支柱固定部材とを用いた支柱の組立状態を示す要部斜視図である。
【図１０】従来の鳥居型支柱による樹木の支持構造を示す側面図である。
【符号の説明】
【００３７】
１    第１筒状リング
２    第２筒状リング
３    第３筒状リング
４    第４筒状リング
１０    支柱固定部材
１１    第１ネジ受部
１３    杆状のネジ部
１４    穴
１５    受部
１５ａ  ネジ穴
１６    貫通孔部
１７    ネジ潰し具としてのネジまたはボルト
２１    第２ネジ受部
２２    第２締付具としてのボルト
３１    第３ネジ受部
３２    第３締付具としてのボルト
４１    第４ネジ受部
４２    第４締付具としてのボルト
５０    補助支柱固定部材
Ｓ１    第１支柱
Ｓ２    第２支柱
Ｓ３    第３支柱
Ｔ    樹木
【図１】
2007014274.tif 000003
【図２】
2007014274.tif 000004
【図３】
2007014274.tif 000005
【図４】
2007014274.tif 000006
【図５】
2007014274.tif 000007
【図６】
2007014274.tif 000008
【図７】
2007014274.tif 000009
【図８】
2007014274.tif 000010
【図９】
2007014274.tif 000011
【図１０】
2007014274.tif 000012